(57)【要約】    【課題】集合軸部が適正な強度を有する軽量且つ安価なトレブルフックの提供。    【解決手段】このトレブルフック１０は、３本のシングルフック１１〜１３を備えている。各シングルフック１１〜１３は、軸部１４の背側が互いに突き合わされることによって構成されている。各シングルフック１１〜１３は、軸部１４、腰部１５及び針先部１６を有する。各シングルフック１１〜１３の軸部１４は、断面形状が扇形に形成されている。各軸部１４は、頂角θが１２０°に設定されている。各軸部１４は、当該シングルフックを隣り合うシングルフックに対して位置決めするための平面１８〜２３を備えている。【選択図】図１
2005348668.tif 000002
【特許請求の範囲】
【請求項１】
複数のシングルフックを有し、それらの軸部の背側が互いに突き合わされることによって構成されたトレブルフックであって、
所定角度で交差する一方側当接平面及び他方側当接平面が上記各軸部の背側に軸方向に沿って形成されており、
一方側当接平面は、当該シングルフックの一方側と隣り合うシングルフックの軸部に形成された他方側当接平面と当接し、
他方側当接平面は、当該シングルフックの他方側と隣り合うシングルフックの軸部に形成された一方側当接平面と当接しているトレブルフック。
【請求項２】
ｎ本（ｎ≧３）のシングルフックを有し、それらの軸部の背側が互いに突き合わされることによって構成されたトレブルフックであって、
各シングルフックの軸部の断面形状は、背側に突出する頂部の頂角が（３６０／ｎ）°の扇形に形成されているトレブルフック。
【請求項３】
上記各シングルフックの軸部が突き合わされることによって構成される集合軸部の中心軸に沿って貫通孔が設けられている請求項１に記載のトレブルフック。
【請求項４】
上記各シングルフックの軸部が突き合わされることによって構成される集合軸部の中心軸に沿って貫通孔が設けられている請求項２に記載のトレブルフック。
【請求項５】
軸部と、軸部に連続して当該軸部の腹側に湾曲された腰部と、腰部に連続する針先部とを有し、トレブルフックを構成し得るシングルフックであって、
所定角度で交差する一方側当接平面及び他方側当接平面が上記軸部の背側に軸方向に沿って形成されているシングルフック。
【請求項６】
軸部と、軸部に連続して当該軸部の腹側に湾曲された腰部と、腰部に連続する針先部とを有し、トレブルフックを構成し得るシングルフックであって、
上記軸部の断面形状は、背側に突出する頂部の頂角がθ°（θ＝３６０／ｎ  ：ｎは３以上の整数）の扇形に形成されているシングルフック。
【請求項７】
上記一方側当接平面と上記他方側当接平面とが交差する交差点を中心とする所定曲率半径の円弧面が上記軸部の背側に軸方向に沿って形成されている請求項５に記載のシングルフック。
【請求項８】
上記頂部の頂点を中心とする所定曲率半径の円弧面が上記軸部の背側に軸方向に沿って形成されている請求項６に記載のシングルフック。
【発明の詳細な説明】
【技術分野】
【０００１】
本発明は、複数のシングルフックからなるトレブルフックの構造に関するものである。なお、「トレブルフック」とは、一般に３本のシングルフックが集合した釣針を意味するが、本明細書では、「トレブルフック」とは、３本以上のシングルフックが集合した釣針を意味する。
【背景技術】
【０００２】
例えばルアーに採用される釣針や鮎釣用に使用される釣針には、トレブルフックと称されるものがある。図７は、従来の一般的なトレブルフックの斜視図である。このトレブルフック１は、３つのシングルフックが寄せ集められた形態を呈している。このトレブルフック１は、単一のダブルフック２に単一のシングルフック３が溶接されることによって構成されている。ただし、３本のシングルフックが互いに溶接されることによってトレブルフックが製造される場合もある。トレブルフックは、シングルフックに比べてターゲットとなる魚に対して確実なフッキングが実現されるという利点がある（例えば、特許文献１〜特許文献３参照）。
【０００３】
【特許文献１】特開２００１−６９８７４公報
【特許文献２】特開平６−２５３７０８号公報
【特許文献３】特開平６−１９７６６８号公報
【発明の開示】
【発明が解決しようとする課題】
【０００４】
図８は、図７におけるVIII−VIII断面図である。従来のトレブルフック１は前述のように製造されるから、トレブルフック１の軸部４の外径寸法Ｄが必要以上に大きくなる。そのため、トレブルフック１の軸部４（トレブルフックの軸部は、特に「集合軸部」と称される。）が強度的にオーバークオリティの状態となるうえ、トレブルフック１の重量も大きくなる。
【０００５】
また、３本のシングルフックが寄せ集められてトレブルフックが構成される場合には、各シングルフックは、互いに１２０°の角度で交差するように放射状に配置されるのが好ましい。しかし、各シングルフックの断面形状が円形や矩形の場合には、各シングルフックを放射状に配置する作業が容易ではなく、各シングルフックが正確に放射状に配置されにくい。この問題を解決するためには、各シングルフックを正確に位置決めする治具等が使用されればよいが、この場合には、製造コストが上昇してしまうという問題がある。
【０００６】
本発明は、かかる背景の下になされたものである。本発明は、集合軸部が適正な強度を有する軽量且つ安価なトレブルフックを提供することである。
【課題を解決するための手段】
【０００７】
(1) 上記目的が達成されるため、本発明に係るトレブルフックは、複数のシングルフックを有し、それらの軸部の背側が互いに突き合わされることによって構成されたトレブルフックであって、所定角度で交差する一方側当接平面及び他方側当接平面が上記各軸部の背側に軸方向に沿って形成されており、一方側当接平面は、当該シングルフックの一方側と隣り合うシングルフックの軸部に形成された他方側当接平面と当接し、他方側当接平面は、当該シングルフックの他方側と隣り合うシングルフックの軸部に形成された一方側当接平面と当接していることを特徴とするものである。
【０００８】
この発明では、各シングルフックの軸部が互いに突き合わされることによってトレブルフックが構成される。各シングルフックの軸部が突き合わされたときには、上記一方側当接平面は、隣り合うシングルフックに形成された他方側当接平面と当接し、上記他方側当接平面は、隣り合うシングルフックに形成された一方側当接平面と当接する。しかも、一方側当接平面と他方側当接平面とは所定角度で交差しているから、互いに隣り合うシングルフックの軸部は、一方側当接平面及び他方側当接平面の２つの面によって互いに確実に位置決めされる。また、上記一方側当接平面及び上記他方側当接平面は、上記軸部を軸方向に切断する切断面により構成され得る。したがって、各軸部が突き合わされることによって構成されるトレブルフックの集合軸部は、その外径寸法が小さくなる。
【０００９】
上記各シングルフックの軸部が突き合わされることによって構成される集合軸部の中心軸に沿って貫通孔が設けられていてもよい。この構成では、集合軸部に貫通孔が形成されるので、この貫通孔に釣糸が挿通され得る。したがって、当該トレブルフックが例えば鮎釣り用の掛針として使用される場合に、釣糸が上記貫通孔に挿通された状態で当該トレブルフックが当該釣糸に固定されるので、当該釣糸が損傷を受けることがないという利点がある。
【００１０】
(2) 上記目的が達成されるため、本発明に係るトレブルフックは、 ｎ本（ｎ≧３）のシングルフックを有し、それらの軸部の背側が互いに突き合わされることによって構成されたトレブルフックであって、各シングルフックの軸部の断面形状は、背側に突出する頂部の頂角が（３６０／ｎ）°（ｄｅｇｒｅｅ）の扇形に形成されていることを特徴とするものである。
【００１１】
この発明では、各シングルフックの軸部が互いに突き合わされることによってトレブルフックが構成される。各シングルフックの軸部が上記扇形に形成されているから、当該軸部は、互いに所定角度で交差する一対の当接平面を備えることになる。各シングルフックの軸部が突き合わされたときには、一方の当接平面は、隣り合うシングルフックに形成された他方の当接平面と当接する。また、他方の当接平面は、隣り合うシングルフックに形成された一方の当接平面と当接する。このとき、シングルフックがｎ本であり、各シングルフックの軸部の断面は、頂角が３６０／ｎ°の扇形であるから、一方の当接平面と他方の当接平面とは確実に隙間なく当接する。したがって、隣り合うシングルフックの軸部は、互いに確実に位置決めされる。加えて、各シングルフックの軸部は、当該軸部が軸方向に切断されることによって構成され得るから、各軸部が突き合わされることによって構成されるトレブルフックの集合軸部は、その外径寸法が小さくなる。
【００１２】
上記各シングルフックの軸部が突き合わされることによって構成される集合軸部の中心軸に沿って貫通孔が設けられていてもよい。この構成では、集合軸部に貫通孔が形成されるので、この貫通孔に釣糸が挿通され得る。したがって、当該トレブルフックが例えば鮎釣り用の掛針として使用される場合に、釣糸が上記貫通孔に挿通された状態で当該トレブルフックが当該釣糸に固定されるので、当該釣糸が損傷を受けることがないという利点がある。
【００１３】
(3) さらに、上記目的が達成されるため、本発明に係るシングルフックは、軸部と、軸部に連続して当該軸部の腹側に湾曲された腰部と、腰部に連続する針先部とを有し、トレブルフックを構成し得るシングルフックであって、所定角度で交差する一方側当接平面及び他方側当接平面が上記軸部の背側に軸方向に沿って形成されていることを特徴とするものである。
【００１４】
この発明では、複数のシングルフックが寄せ集められることによってトレブルフックが構成され得る。各シングルフックの軸部は、それらの背側同士が対向するように突き合わせられる。このとき、上記一方側当接平面は、隣り合うシングルフックに形成された他方側当接平面と当接し、上記他方側当接平面は、隣り合うシングルフックに形成された一方側当接平面と当接する。しかも、一方側当接平面と他方側当接平面とは所定角度で交差しているから、互いに隣り合うシングルフックの軸部は、一方側当接平面及び他方側当接平面の２つの面によって互いに確実に位置決めされる。また、上記一方側当接平面及び上記他方側当接平面は、上記軸部を軸方向に切断する切断面により構成され得る。したがって、各軸部が突き合わされることによって構成されるトレブルフックの集合軸部は、その外径寸法が小さくなる。
【００１５】
上記一方側当接平面と上記他方側当接平面とが交差する交差点を中心とする所定曲率半径の円弧面が上記軸部の背側に軸方向に沿って形成されているのが好ましい。この構成では、複数のシングルフックからなるトレブルフックは、その集合軸部の中心に軸方向に沿って貫通孔が形成されることになる。この貫通孔に釣糸が挿通され得る。したがって、当該トレブルフックが例えば鮎釣り用の掛針として使用される場合に、釣糸が上記貫通孔に挿通された状態で当該トレブルフックが当該釣糸に固定されるので、当該釣糸が損傷を受けることがないという利点がある。
【００１６】
(4) また、上記目的が達成されるため、本発明に係るシングルフックは、軸部と、軸部に連続して当該軸部の腹側に湾曲された腰部と、腰部に連続する針先部とを有し、トレブルフックを構成し得るシングルフックであって、上記軸部の断面形状は、背側に突出する頂部の頂角がθ°（θ＝３６０／ｎ  ：ｎは３以上の整数）の扇形に形成されていることを特徴とするものである。
【００１７】
この発明では、上記軸部の断面形状が扇形に形成されるので、当該軸部は、互いに（３６０／ｎ）°で交差する一対の当接平面を備えることになる。複数のシングルフックが寄せ集められることによってトレブルフックが構成され得る。各シングルフックの軸部は、それらの背側同士が対向するように突き合わせられる。このとき、一方の当接平面は、隣り合うシングルフックに形成された他方の当接平面と当接し、他方の当接平面は、隣り合うシングルフックに形成された一方の当接平面と当接する。しかも、一方の当接平面と他方の当接平面とは上記角度で交差しているから、隣り合うシングルフックの軸部は、上記一対の当接平面によって互いに確実に位置決めされる。また、上記一対の当接平面は、上記軸部を軸方向に切断する切断面により構成され得る。したがって、各軸部が突き合わされることによって構成されるトレブルフックの集合軸部は、その外径寸法が小さくなる。
【００１８】
上記頂部の頂点を中心とする所定曲率半径の円弧面が上記軸部の背側に軸方向に沿って形成されているのが好ましい。この構成では、複数のシングルフックからなるトレブルフックは、その集合軸部の中心に軸方向に沿って貫通孔が形成されることになる。この貫通孔に釣糸が挿通され得る。したがって、当該トレブルフックが例えば鮎釣り用の掛針として使用される場合に、釣糸が上記貫通孔に挿通された状態で当該トレブルフックが当該釣糸に固定されるので、当該釣糸が損傷を受けることがないという利点がある。
【発明の効果】
【００１９】
本発明では、トレブルフックを構成するシングルフックの軸部に一方側当接平面及び他方側当接平面が形成されていることから、隣り合うシングルフック同士は、正確に位置決めされ、その結果、複数のシングルフック同士が互いに所定角度で交差したトレブルフックが容易且つ安価に製造される。しかも、上記一方側当接平面及び他方側当接平面が形成されることによって、トレブルフックの集合軸部の外径寸法が小さくなるので、集合軸部が適正な強度を備えた軽量のトレブルフックが提供される。
【発明を実施するための最良の形態】
【００２０】
以下、適宜図面が参照されつつ、好ましい実施形態に基づいて本発明が詳細に説明される。
【００２１】
＜第１の実施形態＞
図１は、本発明の第１の実施形態に係るトレブルフックの斜視図である。図２は、図１におけるII−II断面図である。このトレブルフック１０は、３本のシングルフック１１〜１３から構成されている。図３は、このトレブルフック１０を構成するシングルフック１１の斜視図である。シングルフック１１〜１３は、同様の形態を呈している。
【００２２】
これらの図が示すように、シングルフック１１は、軸部１４と、腰部１５と、針先部１６とを備えている。シングルフック１１は、例えばスチールからなり、軸部１４、腰部１５及び針先部１６は、一体的に形成されている。腰部１５は、軸部１４に連続して、当該シングルフック１１の腹側に湾曲されている。針先部１６は、腰部１５に連続し、上方に延設されている。針先部１６は、先端部が鋭く尖っている。本実施形態では、針先部１６にバーブが形成されていないが、バーブが形成されていても良いことは勿論である。
【００２３】
軸部１４の断面形状は、扇形に形成されている。具体的には、軸部１４は、背側に突出する頂部１７（図３参照）を備えており、この頂部１７の頂角θが１２０°に設定されている。したがって、軸部１４は、その背側の一方側に平面１８（一方側当接平面）が形成され、他方側に平面１９（他方側当接平面）が形成されている。シングルフック１１は通常鍛造されるため、上記平面１８、１９は、シングルフック１１の製造時に軸部１４の一部として形成される。ただし、シングルフック１１の軸部１４が例えば予め円形に形成される場合には、別工程において軸部１４が軸方向に切断されることによって上記平面１８、１９が構成されてもよい。なお、本実施形態では、これら各平面１８、１９は、軸部１４のみならず上記腰部１５及び針先部１６まで連続されている。ただし、上記各平面１８、１９は、少なくとも軸部１４に軸方向に沿って形成されていればよい。
【００２４】
図１及び図２が示すように、シングルフック１２も軸部１４、腰部１５及び針先部１６を備えている。シングルフック１２の軸部１４にも、その一方側に平面２０（一方側当接平面）が形成され、他方側に平面２１（他方側当接平面）が形成されている。さらに、シングルフック１３も同様の構成であり、軸部１４、腰部１５及び軸部１６を備えている。シングルフック１３の軸部１４にも、そのその一方側に平面２２（一方側当接平面）が形成され、他方側に平面２３（他方側当接平面）が形成されている。
【００２５】
図２が示すように、シングルフック１１に形成された一方の平面１８は、隣り合うシングルフック１３に形成された他方の平面２３と当接している。シングルフック１１に形成された他方の平面１９は、隣り合うシングルフック１２に形成された一方の平面２０と当接している。シングルフック１２については、シングルフック１２に形成された一方の平面２０は、隣り合うシングルフック１１に形成された他方の平面１９と当接し、シングルフック１２に形成された他方の平面２１は、隣り合うシングルフック１３に形成された一方の平面２２と当接している。また、シングルフック１３については、シングルフック１３に形成された一方の平面２２は、隣り合うシングルフック１２に形成された他方の平面２１と当接し、シングルフック１３に形成された他方の平面２３は、隣り合うシングルフック１１に形成された一方の平面１８と当接している。
【００２６】
各シングルフック１１〜１３は、それぞれの軸部１４の背側が突き合わされることによってトレブルフック１０を構成しており、各シングルフック１１〜１３のそれぞれの軸部１４が寄せ集められた状態でトレブルフック１０の集合軸部２４が構成されている。各シングルフック１１〜１３は、軸部１４同士が溶接されることによって互いに固定されるが、接着剤や糸によって互いに固着されていてもよい。
【００２７】
本実施形態に係るトレブルフック１０では、前述のように、各シングルフック１１〜１３の軸部１４同士が突き合わされたときには、上記各平面１８、２０、２２は、それぞれ上記各平面２３、１９、２１と当接する。しかも、平面１８と平面１９、平面２０と平面２１及び平面２２と平面２３は、それぞれ所定角度（θ＝１２０°）で交差しているから、互いに隣り合うシングルフック１１〜１３の軸部１４は、上記各平面１８〜２３によって互いに確実に位置決めされる。したがって、各シングルフック１１〜１３は、互いに１２０°の角度で公差するように簡単且つ正確に配置されるので、トレブルフック１０は簡単で安価に製造される。
【００２８】
また、上記各軸部１４は、その断面形状が前述のように扇形に形成されているので、各軸部１４が突き合わされることによって構成されるトレブルフックの集合軸部２４は、その外径寸法が小さくなる。したがって、当該トレブルフック１０の設計者は、集合軸部２４の適正な強度を確保すべく、集合軸部２４の外径寸法を適切な値に設定することができる。これにより、当該トレブルフック１０の軽量化も図られるという利点がある。
【００２９】
＜第２の実施形態＞
次に、本発明の第２の実施形態について説明される。
【００３０】
図４は、本発明の第２の実施形態に係るトレブルフックの斜視図である。図５は、図４におけるV−V断面図である。このトレブルフック３０は、３本のシングルフック３１〜３３から構成されている。図６は、このトレブルフック３０を構成するシングルフック３１の斜視図である。シングルフック３１〜３３は、同様の形態を呈している。
【００３１】
本実施形態に係るトレブルフック３０が上記第１の実施形態に係るトレブルフック１０と異なるところは、各シングルフック３１〜３３の軸部１４が突き合わされることによって構成される集合軸部２４の中心軸に沿って貫通孔３４が設けられている点である。なお、その他の構成については、上記トレブルフック１０と同様である。
【００３２】
図６が示すように、シングルフック３１は、溝３５を備えている。この溝３５は、軸部１４の背側に軸方向に沿って設けられている。具体的には、上記平面１８と上記平面１９とが交差する交差点、すなわち上記頂部１７（図３参照）を中心とする円弧面３６が軸部１４に沿って形成されている。この円弧面３６の曲率半径は、ｄ／２である。本実施形態では、この溝３５は、図６が示すように軸部１４にのみ設けられているが、腰部１５及び針先部１６にまで連続されていてもよい。
【００３３】
上記第１の実施形態と同様に、各シングルフック３１〜３３は、それぞれの軸部１４の背側が突き合わされることによってトレブルフック３０を構成しており、各シングルフック３１〜３３のそれぞれの軸部１４が寄せ集められた状態でトレブルフック３０の集合軸部２４が構成されている。各シングルフック３１〜３３は、軸部１４同士が溶接されることによって互いに固定されるが、接着剤や糸によって互いに固着されていてもよい。
【００３４】
本実施形態に係るトレブルフック３０は、上記第１の実施形態に係るトレブルフック１０と同様に、集合軸部２４が適正な強度を有し、軽量且つ安価なものとなる。しかも、各シングルフック３１〜３３に上記溝３５が設けられているから、集合軸部２４に上記貫通孔３４が形成される。この貫通孔３４には、釣糸が挿通され得る。したがって、トレブルフック３０が例えば鮎釣り用の掛針として使用される場合に、釣糸が上記貫通孔３４に挿通された状態でトレブルフック３０が当該釣糸に固定される。これにより、当該釣糸が損傷を受けることがないという利点がある。
【００３５】
上記各実施形態に係るトレブルフック１０（３０）は、それぞれ３本のシングルフック１１〜１３（３１〜３３）から構成されているが、トレブルフック１０（３０）を構成するシングルフックの数は特に限定されるものではない。上記各実施形態では、トレブルフック１０（３０）がそれぞれ３本のシングルフック１１〜１３（３１〜３３）を備えることから、各シングルフック１１〜１３（３１〜３３）の軸部１４は、その断面形状が扇形に形成され、その頂角θが１２０°に設定されているが、トレブルフックを構成するシングルフックがｎ本（ｎ≧３）の場合は、頂角θが（３６０／ｎ）°に設定される。
【００３６】
また、上記各シングルフック１１〜１３（３１〜３３）が正確に位置決めされるために上記軸部１４の断面形状が上記扇形に形成されているが、上記軸部１４の断面形状は、扇形に限定されるものではない。要するに、上記軸部１４に所定角度で交差する一対の平面が形成されていればよい。このような一対の平面が形成されることによって、隣り合うシングルフック同士が簡単且つ正確に位置決めされる。なお、上記軸部１４の断面形状が扇形に形成されることによって、上記集合軸部２４の外径寸法がきわめて小さくなり得ることは前述の通りである。
【産業上の利用可能性】
【００３７】
本発明は、釣針、特に３本以上のシングルフックからなるトレブルフックに適用され得る。
【図面の簡単な説明】
【００３８】
【図１】図１は、本発明の第１の実施形態に係るトレブルフックの斜視図である。
【図２】図２は、図１におけるII−II断面図である。
【図３】図３は、本発明の第１の実施形態に係るトレブルフックを構成するシングルフックの斜視図である。
【図４】図４は、 本発明の第２の実施形態に係るトレブルフックの斜視図である。
【図５】図５は、図４におけるV−V断面図である。
【図６】図６は、本発明の第２の実施形態に係るトレブルフックを構成するシングルフックの斜視図である。
【図７】図７は、従来の一般的なトレブルフックの斜視図である。
【図８】図８は、図７におけるVIII−VIII断面図である。
【符号の説明】
【００３９】
１０・・・トレブルフック
１１〜１３・・・シングルフック
１４・・・軸部
１５・・・腰部
１６・・・針先部
１７・・・頂部
１８・・・平面（一方側平面）
１９・・・平面（他方側平面）
２０・・・平面（一方側平面）
２１・・・平面（他方側平面）
２２・・・平面（一方側平面）
２３・・・平面（他方側平面）
２４・・・集合軸部
３０・・・トレブルフック
３１〜３３・・・シングルフック
３４・・・貫通孔
３５・・・溝
３６・・・円弧面
θ・・・頂角
ｄ・・・貫通孔の内径寸法
【図１】
2005348668.tif 000003
【図２】
2005348668.tif 000004
【図３】
2005348668.tif 000005
【図４】
2005348668.tif 000006
【図５】
2005348668.tif 000007
【図６】
2005348668.tif 000008
【図７】
2005348668.tif 000009
【図８】
2005348668.tif 000010